(57)【特許請求の範囲】
【請求項１】
記録媒体として磁気テープを用いる再生装置の磁気ヘッドに対して前端面部を当接させて上記磁気ヘッドに対して情報信号を伝達する信号伝達ヘッドと、
上記信号伝達ヘッドを収納して上記再生装置に対して装着される筐体と、
上記筐体内において上記信号伝達ヘッドを支持する支持手段とを備え、
上記支持手段は、
上記信号伝達ヘッドに取付けられるとともに、上記筐体の内壁に当接する円弧状凸部を有し、上記円弧状凸部を上記筐体の内壁に摺接させることにより上記信号伝達ヘッドを上記筐体の前端面に沿い上記筐体の厚み方向に直交する方向の軸回りに揺動可能に支持する支持部材と、
上記信号伝達ヘッドを上記磁気ヘッドに当接する方向である上記筐体の前端面側に付勢する付勢部材とを備えている
ことを特徴とする接続装置。
【発明の詳細な説明】
【０００１】
【発明の属する技術分野】
本発明は、いわゆるカセットテーププレーヤ装置の如き再生装置の磁気ヘッドに対して外部機器よりの情報信号を伝達するための接続装置に関する技術分野に属する。
【０００２】
【従来の技術】
従来、いわゆるカセットテーププレーヤ装置の如き再生装置の磁気ヘッドに対して、外部機器より情報信号を伝達するための接続装置が提案されている。このような接続装置は、例えば、車載用のカセットテーププレーヤ装置（いわゆるカーステレオ装置）を介して、携帯用の光ディスクプレーヤ装置より出力される情報信号、すなわち、光ディスクの再生信号に基づく音響再生を行う場合に使用される。
【０００３】
このような接続装置は、上記カセットテーププレーヤ装置に装着されるように構成された筐体を有して構成されている。この筐体は、上記カセットテーププレーヤ装置において信号記録媒体として使用される磁気テープをカセットに収納して構成され該カセットテーププレーヤ装置に装着されるテープカセットの該カセットと同様の形状に構成されている。すなわち、この筐体は、上記カセットテーププレーヤ装置に対して、上記テープカセットを装着する操作と同様の操作によって、装着される。
【０００４】
上記筐体内には、上記カセットテーププレーヤ装置の磁気ヘッドに対して情報信号の伝達を行う信号伝達ヘッドが内蔵されている。この信号伝達ヘッドは、上記磁気ヘッドと略々同様に、磁気ギャップ部を有するコア及び該磁気ギャップ部内に磁界を発生させるコイルを有して構成されている。この信号伝達ヘッドのコイルは、上記筐体の外方側に引き出された接続コードに接続されている。この接続コードの先端側には、上記光ディスクプレーヤ装置の如き外部機器の信号出力端子に接続される接続プラグが設けられている。すなわち、この接続プラグを上記外部機器の信号出力端子に接続し、該外部機器を作動させることにより、この外部機器より出力される情報信号が上記信号伝達ヘッドのコイルに供給される。上記外部機器より情報信号を供給されたコイルは、上記磁気ギャップ部内に、該情報信号に応じた磁界を発生させる。
【０００５】
上記信号伝達ヘッドは、上記筐体が上記カセットテーププレーヤ装置に装着されたとき、上記磁気ヘッドに対して互いの磁気ギャップ部同士を略々対向させる状態に前面部同士を当接され、磁気ギャップ部内に情報信号に応じた磁界を発生させることにより、該情報信号を該磁気ヘッドに伝達させる。すなわち、上記磁気ヘッドにおいては、上記信号伝達ヘッドの磁気ギャップ部内に発生する磁界は、情報信号が記録された磁気テープがこの磁気ヘッドの磁気ギャップ部に近接して走行された場合にこの磁気テープより伝達される磁界と同様のものとして作用する。
【０００６】
このような接続装置において、上記信号伝達ヘッドは、上記磁気ヘッドに対して情報信号の確実な伝達を行うためには、該磁気ヘッドに対して、確実に前面部同士を当接させる必要がある。また、この信号伝達ヘッドは、上記磁気ヘッドに対して、互いの磁気ギャップ部同士を略々対向させる状態となされていなければ、該磁気ヘッドに対する情報信号の良好な伝達を行うことができない。
【０００７】
そして、上記カセットテーププレーヤ装置における上記磁気ヘッドの取付け位置は、一定の公差の範囲内には収まっているとしても、製品の個々で若干の違いがある。したがって、上記信号伝達ヘッドは、上記筐体に対して正確に位置決めされて取付けられているとしても、上記カセットテーププレーヤ装置の製品個々の上記磁気ヘッドの位置ずれに依って、該筐体を該カセットテーププレーヤ装置に装着したときに、該磁気ヘッドに対して正確に当接されない場合がある。
【０００８】
そのため、この接続装置においては、上記信号伝達ヘッドは、上記筐体に対する位置をこの接続装置の使用者が調整できるようになされている。
【０００９】
すなわち、上記信号伝達ヘッドは、上記筐体に対して、位置調整機構を介して取付けられている。この位置調整機構においては、上記信号伝達ヘッドは、上記筐体に対して、コイルバネの如き弾性体を介在して支持され、移動可能となされている。そして、この位置調整機構は、上記筐体の外方側より移動操作可能となされた調整ノブを有している。この位置調整機構においては、上記調整ノブを移動操作すると、この調整ノブの移動がカムを介して上記信号伝達ヘッドに伝達され、該信号伝達ヘッドが移動操作されることとなる。
【００１０】
この接続装置の使用者は、上記調整ノブを介して上記信号伝達ヘッドを移動操作することにより、この信号伝達ヘッドより上記磁気ヘッドへの情報信号の伝達が良好に行われることとなるような、該信号伝達ヘッドの位置を探すこととなる。
【００１１】
【発明が解決しようとする課題】
ところで、上述のような接続装置においては、上記位置調整機構を設けることによって、上記信号伝達ヘッドの上記筐体に対する位置調整を可能にしているため、構成が複雑なものとなっている。上記位置調整機構を構成するには、例えば、上記筐体に対して移動可能に取付けられた調整ノブ、この調整ノブに連結されたカム、該筐体に対して固定されるヘッドホルダ、このヘッドホルダと上記信号伝達ヘッドとの間に介在されるコイルバネ、該信号伝達ヘッドの移動経路を規制するガイド部材等の部品が必要であり、また、これらの部品を該筐体内に収納しなければならない。
【００１２】
また、上述の接続装置においては、上記信号伝達ヘッドの上記筐体に対する位置の調整操作が煩雑であり、さらに、正しい調整操作が行われないまま使用されたり、あるいは、調整操作を忘れたまま使用されるといった誤った使用状態におかれる可能性がある。
【００１３】
そこで、本発明は、上述の実情に鑑みて提案されるものであって、構成が簡素化され、使用にあたっての操作が容易化されながら、再生装置の磁気ヘッドに対する確実な情報信号の伝達を行うことができる接続装置の提供という課題を解決しようとするものである。
【００１４】
【課題を解決するための手段】
上述の課題を解決するため、本発明に係る接続装置は、磁気テープを記録媒体として用いる再生装置の磁気ヘッドに対して前端面部を当接され該磁気ヘッドに対して情報信号を伝達する信号伝達ヘッドと、この信号伝達ヘッドを収納し該再生装置に対して装着される筐体と、この筐体内において該信号伝達ヘッドを支持する支持手段とを備え、上記支持手段は、上記磁気ヘッドに当接する方向である上記筐体の前端面側に上記信号伝達ヘッドを付勢するとともに、この信号伝達ヘッドを該筐体の前端面に沿い該筐体の厚み方向に直交する方向の軸回りに揺動可能として支持していることとしたものである。
【００１５】
この接続装置においては、上記信号伝達ヘッドは、上記支持手段に支持されていることにより、上記筐体が上記再生装置に装着されたときに、何等の操作なく自ずから前面部を該再生装置の磁気ヘッドの前面部に対して倣わせる。
【００１６】
また、本発明は、上記接続装置において、上記支持手段は、上記信号伝達ヘッドに取付けられてこの信号伝達ヘッドを揺動可能とする支持部材と、該信号伝達ヘッドを付勢する付勢部材とを有して構成されていることとしたものである。
【００１７】
さらに、本発明は、上記接続装置において、上記支持部材は、上記筐体の内壁に当接する円弧状凸部を有しており、この円弧状凸部を該筐体の内壁に摺接させることにより上記信号伝達ヘッドを揺動可能とすることとしたものである。
【００１８】
【発明の実施の形態】
以下、本発明の実施の形態を図面を参照しながら説明する。
【００１９】
本発明に係る接続装置は、いわゆるカセットテーププレーヤ装置の如き再生装置の磁気ヘッドに対して、外部機器より出力された情報信号を伝達するための装置である。この接続装置は、例えば、車載用のカセットテーププレーヤ装置（いわゆるカーステレオ装置）を介して、携帯用の光ディスクプレーヤ装置より出力される情報信号、すなわち、光ディスクの再生信号に基づく音響再生を行う場合に使用される。
【００２０】
そして、この実施の形態においては、接続の対象となる再生装置を、いわゆる「コンパクトカセット」（商標名）と称されるテープカセットを用いるカセットテーププレーヤ装置であることとしている。このテープカセットは、上記カセットテーププレーヤ装置における信号記録媒体となる磁気テープ及びこの磁気テープが巻装された一対のテープリールをカセットに収納して構成されている。
【００２１】
この接続装置は、図１に示すように、上記カセットテーププレーヤ装置に装着されるように構成された筐体３を有して構成されている。この筐体３は、互いに対をなす上下ハーフ１，２が突き合わせ結合されることにより、上記テープカセットのカセットと同様に、略々矩形の上下主面部を有する薄い筐体として構成されている。上記下ハーフ２は、図２に示すように、四隅部のそれぞれにネジ孔５０を有しており、これらネジ孔５０に対応して下方側より挿通された図示しないビスが上記上ハーフ１の内壁部に設けられた複数のネジボス部に対応して螺入されることにより、該上ハーフ１に対して結合される。
【００２２】
この筐体３は、上記カセットテーププレーヤ装置に対して、上記テープカセットを装着する操作と同様の操作によって、装着される。すなわち、この筐体３は、両側面部分に対をなす位置決め突条１９，１９を有している。また、この筐体３は、前端側部分に、図３及び図５に示すように、上記カセットテーププレーヤ装置の磁気ヘッド１０１が進入されるための上下方向に膨出形成された拡幅部５９を有している。上記筐体３の前面部には、図４に示すように、上記拡幅部５９に対応して、中央部に磁気ヘッド進入孔１０、この磁気ヘッド進入孔１０の両側側に一対の検出部材進入孔９，１１、さらに、これら検出部材進入孔９，１１の両側側に一対のピンチローラ進入孔８，１２が開設されている。
【００２３】
また、上記筐体３は、上記拡幅部５９上に位置して、上面部及び下面部にそれぞれ一対の位置決め孔１５，１６、１５，１６と、キャプスタン軸挿通孔１３，１４、１３，１４とを有している。さらに、この筐体３は、上面部及び下面部にそれぞれ一対のリール軸挿通孔４，５、４，５を有している。
【００２４】
上記筐体３は、上記カセットテーププレーヤ装置に装着されたとき、図３に示すように、下面側（カセットテーププレーヤ装置のシャーシ側）の一対の位置決め孔１５，１６に該カセットテーププレーヤ装置の一対の位置決めピン１０６，１０６を嵌合されるとともに、後縁部を図示しない板バネにより前方側に押圧され、さらに、上記一対の位置決め突条１９，１９を図示しない位置決め壁に沿わせることにより、このカセットテーププレーヤ装置のテープカセット装着部に位置決めされる。
【００２５】
また、上記筐体３は、上記カセットテーププレーヤ装置に装着されたとき、上記各リール軸挿通孔４，５に、該カセットテーププレーヤ装置の一対のリール駆動軸１０４，１０５を対応して挿通される。これらリール駆動軸１０４，１０５は、上記カセットテーププレーヤ装置に上記テープカセットが装着されたとき、このテープカセットのテープリールのハブ部に係合してこのテープリールを回転操作するものである。
【００２６】
さらに、上記筐体３は、上記カセットテーププレーヤ装置に装着されたとき、上記各キャプスタン軸通孔１３，１４の一方、または、双方に、該カセットテーププレーヤ装置のキャプスタン軸１０３を挿通される。このキャプスタン軸１０３は、上記カセットテーププレーヤ装置に上記テープカセットが装着されたとき、このテープカセットの磁気テープを後述するピンチローラ１０２と共働して送り操作するものである。
【００２７】
そして、上記筐体３は、上記カセットテーププレーヤ装置に装着されたとき、上記磁気ヘッド進入孔１０に該カセットテーププレーヤ装置の磁気ヘッド１０１を対向されるとともに、上記各ピンチローラ進入孔８，１２の一方、または、双方に該カセットテーププレーヤ装置のピンチローラ１０２を対向される。上記磁気ヘッド１０１は、上記カセットテーププレーヤ装置に上記テープカセットが装着されたとき、このテープカセットの磁気テープより情報信号を読み出すものである。上記ピンチローラ１０２は、支軸１０２ａにより回転可能に支持されたゴムローラであって、上記キャプスタン軸１０３と共働して上記磁気テープを挟持し、このキャプスタン軸１０３が定速で回転操作されることにより、このキャプスタン軸１０３に追従して回転し、該磁気テープを送り操作するものである。
【００２８】
上記筐体３内には、図２に示すように、上記テープカセットにおけるテープリールに相当する位置に、一対のリールハブ体２４，２５が回転可能に配設されている。これらリールハブ体２４，２５は、略々円環状に形成され、中央孔６，７の部分を上記各リール軸挿通孔４，５に対応させている。これら中央孔６，７の内周部には、上記リール駆動軸１０４，１０５の外周面部が係合するための複数の突起が設けられている。すなわち、上記各リールハブ体２４，２５は、上記筐体３が上記カセットテーププレーヤ装置に装着されたとき、それぞれ中央孔６，７に上記リール駆動軸１０４，１０５を挿通され、これらリール駆動軸１０４，１０５の外周面部に係合される。
【００２９】
上記各リールハブ体２４，２５の外周面部には、それぞれギヤ部２６，３０が設けられている。そして、上記各リールハブ体２４，２５の間には、伝達ギヤ（アイドルギヤ）２７が、上記筐体３内に設けられた支軸２８に軸支されて回転可能に配設されている。この伝達ギヤ２７の外周部のギヤ部２９は、上記各リールハブ体２４，２５のギヤ部２６，３０に両側側において噛合している。すなわち、上記各リールハブ体２４，２５は、上記伝達ギヤ２７を介して、互いに回転を伝達するようになされている。
【００３０】
上記リールハブ体２４，２５のうちの一方、すなわち、上記カセットテーププレーヤ装置において上記磁気テープを順方向に送り操作する場合におけるテイクアップリールに相当する側のリールハブ体２４の外周部には、無端ゴムベルト１８が巻掛けられている。この無端ゴムベルト１８は、上記ギヤ部２６に対しては上記リールハブ体２４の軸方向にずれた位置において該リールハブ体２４の外周部に巻掛けられている。この無端ゴムベルト１８は、上記一方のリールハブ体２４と、該一方のリールハブ体２４側のピンチローラ進入孔１２の両側側に位置する一対のガイドローラ３４，３６との間に亘って巻掛けられている。これら各ガイドローラ３４，３６は、円筒状に形成され、上記筐体３内に設けられた支軸３３，３５に軸支されて回転可能となされている。
【００３１】
また、上記無端ゴムベルト１８は、上記筐体３中の支軸３１にコイル部を支持された捻りコイルバネ３２の一方のアーム部が掛合され、この捻りコイルバネ３２の弾性力により、一定のテンション（張力）を生じさせられている。上記捻りコイルバネ３２の他方のアーム部は、上記ピンチローラ進入孔１２の内方側に設けられた壁部３８の後方側に位置し、上記筐体内に設けられた掛止ピン３７に当接して掛止されている。
【００３２】
上記無端ゴムベルト１８は、上記筐体３の前端側部分において、上記ピンチローラ進入孔１２内の上記キャプスタン軸挿通孔１４の前縁付近に位置している。すなわち、この無端ゴムベルト１８は、上記筐体３が上記カセットテーププレーヤ装置に装着されたとき、この筐体３の前方側部分において上記キャプスタン軸１０３の前側に位置し、上記ピンチローラ進入孔１２に上記ピンチローラ１０２が進入されると、このピンチローラ１０２と該キャプスタン軸１０３とによって挟持される。このとき、上記キャプスタン軸１０３が回転操作されると、上記無端ゴムベルト１８は、上記テープカセットの磁気テープと同様に、該キャプスタン軸１０３及び上記ピンチローラ１０２により送り操作され、上記一方のリールハブ体２４を回転操作する。上記一方のリールハブ体２４が回転操作されると、他方のリールハブ体２５も回転操作される。
【００３３】
このようにして、上記ピンチローラ１０２が上記ピンチローラ進入孔１２内に進入されたとき、すなわち、上記カセットテーププレーヤ装置が再生モードを実行しているときに、上記無端ゴムベルト１８を介して上記各リールハブ体２４，２５が回転操作され、上記各リール駆動軸１０４，１０５が回転されることにより、該カセットテーププレーヤ装置が、いわゆるオートシャットオフ機能を有している場合においても、このカセットテーププレーヤ装置の再生モードの実行が維持される。
【００３４】
そして、上記筐体３内には図６及び図７に示すように、上記磁気ヘッド進入孔１０の内方側に位置して、上記磁気ヘッド１０１に情報信号を伝達する信号伝達ヘッド１７が収納されている。この信号伝達ヘッド１７は、上記磁気ヘッド１０１と略々同様に、磁気ギャップ部５８を有するコア及び該磁気ギャップ部内に磁界を発生させる図示しないコイルを有して構成されている。この信号伝達ヘッド１７は、上記磁気ギャップ部５８が設けられた前面部を、上記筐体３の前方側に向けて配設されている。
【００３５】
この信号伝達ヘッド１７のコイルは、上記筐体３の外方側に引き出された接続コード２１に対して、該筐体３内に収納されたリード線４８及び中継基板４９を介して接続されている。この接続コード２１は、上記上ハーフ１の上面部後方側の側縁部分に設けられたコード引き出し孔２０を介して、上記筐体３内より外方側に引き出されている。この接続コード２１の先端側には、上記光ディスクプレーヤ装置の如き外部機器の信号出力端子に接続される接続プラグ２２が設けられている。この接続プラグ２２は、先端側が端子部２３となされている。この端子部２３は、互いに絶縁された同軸状のグランド端子、Ｒ（右）チャンネル端子及びＬ（左）チャンネル端子２３ａ，２３ｂ，２３ｃから構成されている。
【００３６】
上記接続プラグ２２を上記外部機器の信号出力端子に接続し、該外部機器を作動させることにより、この外部機器より出力される情報信号が、上記中継基板４９及び上記リード線４８を介して上記信号伝達ヘッド１７のコイルに供給される。上記外部機器より情報信号を供給されたコイルは、上記磁気ギャップ部５８内に、該情報信号に応じた磁界を発生させる。この磁気ギャップ部５８内に発生される磁界の方向は、この磁気ギャップ部５８のいわゆるギャップ方向であり、上記磁気ヘッド１０１のギャップ方向と同一であって、また、この磁気ヘッド１０１に対する上記磁気テープの走行方向と同一である。
【００３７】
上記信号伝達ヘッド１７は、上記筐体３が上記カセットテーププレーヤ装置に装着されたとき、該カセットテーププレーヤ装置の磁気ヘッド１０１に対向される。そして、この信号伝達ヘッド１７は、上記カセットテーププレーヤ装置が再生モードとなされると、上記磁気ヘッド１０１が、図５乃至図７中矢印Ａで示すように、前進操作されて上記磁気ヘッド進入孔１０内に進入されるので、該磁気ヘッド１０１に対して互いの磁気ギャップ部同士を略々対向させる状態に前面部同士を当接される。このとき、上記ピンチローラ１０２は、上記ピンチローラ進入孔１２内に進入し、このピンチローラ進入孔１２内において、上記キャプスタン軸１０３と共働して上記無端ゴムベルト１８を挟持する。
【００３８】
この状態において、上記信号伝達ヘッド１７は、上記磁気ギャップ部５８内に上記情報信号に応じた磁界を発生させることにより、該情報信号を上記磁気ヘッド１０１に伝達させる。すなわち、上記磁気ヘッド１０１においては、上記信号伝達ヘッド１７の磁気ギャップ部５８内に発生する磁界は、情報信号が記録された磁気テープがこの磁気ヘッド１０１の磁気ギャップ部に近接して走行された場合にこの磁気テープより伝達される磁界と同様のものとして作用する。
【００３９】
そして、この接続装置において、上記信号伝達ヘッド１７は、上記磁気ヘッド１０１に対する情報信号の確実な伝達を行うためには、該磁気ヘッド１０１に対して、確実に前面部同士を当接させる必要がある。また、この信号伝達ヘッド１７は、上記磁気ヘッド１０１に対して、互いの磁気ギャップ部同士を略々対向させる状態となされていなければ、該磁気ヘッド１０１に対する情報信号の良好な伝達を行うことができない。
【００４０】
そして、上記カセットテーププレーヤ装置における上記磁気ヘッド１０１の取付け位置は、一定の公差の範囲内には収まっているとしても、製品の個々で若干の違いがある。そのため、この接続装置においては、上記信号伝達ヘッド１７は、上記筐体３内において、支持手段によって支持されていることとしている。
【００４１】
この支持手段は、上記磁気ヘッド１０１に当接する方向である上記筐体３の前端面側に上記信号伝達ヘッド１７を付勢するとともに、この信号伝達ヘッド１７を該筐体３の前端面に沿い該筐体３の厚み方向に直交する方向（すなわち、上記磁気ギャップ部５８のギャップ方向（発生される磁界方向）に沿う方向）の軸回りに揺動可能として支持する機能を有するものである。
【００４２】
この支持手段は、上記信号伝達ヘッド１７に取付けられてこの信号伝達ヘッド１７を揺動可能とする支持部材となるヘッドホルダ４３と、該信号伝達ヘッド１７を前方側に付勢する付勢部材となる板バネ４４を有して構成されている。
【００４３】
上記ヘッドホルダ４３は、合成樹脂材料の如き材料により、前方側中央部に上記信号伝達ヘッド１７が位置される欠損部４３ａを有し、この欠損部４３ａの両側側において前方側に向けて延設されたアーム部を有して、略々「コ」の字状（または、「Ｕ」の字状や馬蹄形状）の部材として形成されている。このヘッドホルダ４３には、上記欠損部４３ａ内に位置して、上記各アーム部に両側側を支持されて、上記信号伝達ヘッド１７が取付けられている。
【００４４】
上記ヘッドホルダ４３は、上記筐体３内において、上記磁気ヘッド進入孔１０の内方側に設けられた一対のガイド壁３９，４０により、両側面部をガイドされて、前後方向及び上下方向（筐体３の厚み方向）に移動可能となされている。また、上記各ガイド壁３９，４０間の間隔は上記磁気ヘッド進入孔１０の横幅よりも広くされており、この磁気ヘッド進入孔１０の両脇部分と上記各ガイド壁３９，４０との間の部分は、上記筐体３の内方側（後方側）に向いた左右一対の当接壁４１，４２となされている。上記ヘッドホルダ４３は、上記各アーム部の先端部を上記各当接壁４１，４２に当接させることにより、上記磁気ヘッド進入孔１０を介して上記筐体３より前方側に脱落することが防止されている。
【００４５】
そして、上記ヘッドホルダ４３は、図６及び図７に示すように、上記各アーム部の前端側に位置して、両側側の上下に、それぞれ上記筐体３の上下内壁に当接する円弧状凸部５１，５２，５５，５６を有している。これら円弧状凸部５１，５２，５５，５６は、上記筐体３内における上記ヘッドホルダ４３の上下方向の移動を規制している。そして、上記ヘッドホルダ４３の上面側に設けられた円弧状凸部５１，５５の上端部は、それぞれ上記筐体３の前端面に沿い該筐体３の厚み方向に直交する方向を軸とする上方に凸の円弧状となされている。また、上記ヘッドホルダ４３の下面側に設けられた円弧状凸部５２，５６の下端部は、それぞれ上記筐体３の前端面に沿い該筐体３の厚み方向に直交する方向を軸とする下方に凸の円弧状となされている。すなわち、上記ヘッドホルダ４３は、上記各円弧状凸部５１，５２，５５，５６の先端部を上記筐体３の内壁に摺接させることにより、図５乃至図７中矢印Ｒで示すように、上記信号伝達ヘッド１７を、上記筐体３の前端面に沿い該筐体３の厚み方向に直交する方向を軸として揺動（回動）可能としている。
【００４６】
なお、上記ヘッドホルダ４３の一側面部には、上記ガイド壁４０との摺接を円滑化するための一対の摺接突条５３，５４が設けられている。これら摺接突条５３，５４は、半円柱状（蒲鉾型）の突起であって、それぞれのなす円筒面の軸心を上下方向に向けて上記ヘッドホルダ４３に一体的に形成されている。また、上記ヘッドホルダ４３の他端側には、後方側に位置して、リード線押さえ５７が設けられている。このリード線押さえ５７は、上記ヘッドホルダ４３に一体的に形成された鈎状の部材であり、上記リード線４８を該ヘッドホルダ４３の上面部と共働して挟み込み、このリード線４８を該ヘッドホルダ４３に対して固定している。
【００４７】
そして、上記板バネ４４は、後端側部分を上記筐体３内に突設された係止ピン４５，４７間に挟まれて係止されるとともに、後端部近傍を該筐体３内に突設された係止壁４６に当接させて係止され、前端側を上記ヘッドホルダ４３の後面部に当接させている。この板バネ４４は、弾性力により、図５乃至図７中矢印Ｐで示すように、上記ヘッドホルダ４３を介して、上記信号伝達ヘッド１７を前方側方向、すなわち、上記磁気ヘッド進入孔１０を介して進入される上記磁気ヘッド１０１側に弾性付勢している。
【００４８】
したがって、この接続装置においては、上記信号伝達ヘッド１７は、上記筐体３の前端面に沿い該筐体３の厚み方向に直交する方向を軸とする揺動及び前後方向の移動のみが可能となされており、上記板バネ４４により前方側に弾性付勢されている。そのため、上記信号伝達ヘッド１７は、上記筐体３が上記カセットテーププレーヤ装置に装着され再生モードが実行されたときには、自ずから前面部を該カセットテーププレーヤ装置の磁気ヘッド１０１の前面部に対して倣わせることとなる。また、このとき、上記信号伝達ヘッド１７の、上下方向を軸とする回動（前面部を横方向に振る回動）及び前後方向を軸とする回動（前面部を横に傾ける回動）は、上記各ガイド壁３０，４０により防止されている。
【００４９】
すなわち、この接続装置においては、何等の調整操作を行うことなく、上記信号伝達ヘッド１７の位置が、この信号伝達ヘッド１７の前面部が上記磁気ヘッド１０１の前面部に対して確実に当接され該信号伝達ヘッド１７より該磁気ヘッド１０１への情報信号の伝達が良好に行われることとなる位置となされる。また、この接続装置は、上記信号伝達ヘッド１７の上記磁気ヘッド１０１に対する位置を調整するための位置調整機構を設けることを要しないので、構成が簡素化されている。
【００５０】
ところで、上記信号伝達ヘッド１７の上記ヘッドホルダ４３への取付けは、図８及び図９に示すように、中央部を該信号伝達ヘッド１７の下面部に固着され両端側部分をこの信号伝達ヘッド１７の両側側に突出させた取付け板６０を介してなされている。この取付け板６０は、薄い金属板により形成されている。この取付け板６０は、一端側に取付け孔６４が開設され、他端側に取付け用切り欠き部６３が設けられている。
【００５１】
そして、上記ヘッドホルダ４３の上記各アーム部の底面部には、前端側に位置して、一対のボス６１ａ，６１ａが一体的に突設されている。これらボス６１ａ，６１ａは、上記信号伝達ヘッド１７を上記ヘッドホルダ４３に取付ける工程において、図８に示すように、上記取付け孔６４及び取付け用切り欠き部６３に対応して挿通される。そして、これらボス６１ａ，６１ａは、上記信号伝達ヘッド１７を上記ヘッドホルダ４３に取付ける工程において、熔着冶具２０１によって、先端側を熔かされて押し潰される。
【００５２】
すなわち、上記熔着冶具２０１は、上記各ボス６１ａ，６１ａに対応する一対の熔着アーム２０２，２０２を有している。これら熔着アーム２０２，２０２の先端部は、凹部として形成された熔着部２０３，２０３となされている。この熔着冶具２０１は、図８中矢印Ｂで示すように、上記各熔着部２０３，２０３を上記各ボス６１ａ，６１ａの先端部に押し付けることにより、これらボス６１ａ，６１ａの先端側を溶かして押し潰す。
【００５３】
上記熔着冶具２０１によって先端側を溶かされて押し潰されたボス６１ａ，６１ａは、図９に示すように、先端側が潰されてフランジ状に拡径された熔着済みボス６１，６１となる。この熔着済みボス６１，６１は、先端側部分によって上記取付け板６０の両端側を保持し、上記信号伝達ヘッド１７と上記ヘッドホルダ４３との連結状態を維持する。
【００５４】
このようにして、上記各ボス６１ａ，６１ａを用いた熔着によって上記信号伝達ヘッド４３を上記ヘッドホルダ４３に取付けることとすると、従来の取付け方法を採用する場合に比して、該ヘッドホルダ４３の構成の簡素化、該信号伝達ヘッド４３の該ヘッドホルダ４３への取付け作業の容易化を図ることができる。従来の取付け方法は、図１０に示すように、上記ヘッドホルダ４３の各アーム部の前端側の底面部に一対のネジ孔６６，６６を設けておき、上記取付け板６０の取付け孔６４及び取付け用切り欠き部６３に対応して挿通させた止めネジ６５，６５を該各ネジ孔６６，６６に螺入させ、これら止めネジ６５，６５のネジ頭により該取付け板６０を保持するものであった。このような従来の取付け方法においては、上記各止めネジ６５，６５が特殊な微小サイズのネジであることもあり、該各止めネジ６５，６５を螺入させる作業が煩雑であった。
【００５５】
なお、上記筐体３の内壁部であって上記各熔着済みボス６１，６１が対向する位置、すなわち、上記信号伝達ヘッド１７の直下位置の両側側位置には、これら熔着済みボス６１，６１と該筐体３の内壁部との当接を回避するため、左右一対のボス逃げ溝６２，６２が設けられている。これらボス逃げ溝６２，６２は、上記信号伝達ヘッド１７の前後方向への移動に伴う上記各熔着済みボス６１，６１の移動範囲に対応して形成されている。
【００５６】
本発明に係る接続装置は、上述の実施の形態においては、上記ヘッドホルダ４３に上記各円弧状凸部５１，５２，５５，５６が突設されていることとしているが、上記筐体３の内面部に該ヘッドホルダ４３に対応して円弧状の凹部を形成すること、または、該筐体３の内面部に該ヘッドホルダ４３に対応して円弧状の凸部を形成することによって、上記信号伝達ヘッド１７を揺動可能に支持して構成されたものとしてもよい。
【００５７】
【発明の効果】
上述のように、本発明に係る接続装置においては、再生装置に対して装着される筐体内において信号伝達ヘッドを支持する支持手段は、該再生装置の磁気ヘッドに当接する方向である該筐体の前端面側に該信号伝達ヘッドを付勢するとともに、この信号伝達ヘッドを該筐体の前端面に沿い該筐体の厚み方向に直交する方向の軸回りに揺動可能として支持している。
【００５８】
したがって、この接続装置においては、上記信号伝達ヘッドは、上記筐体が上記再生装置に装着されたときに、何等の操作なく自ずから前面部を該再生装置の磁気ヘッドの前面部に対して倣わせることができる。そして、上記信号伝達ヘッドは、前面部を上記再生装置の磁気ヘッドに対して確実に当接させることにより、該磁気ヘッドに対して良好に情報信号を伝達することができる。
【００５９】
すなわち、本発明は、構成が簡素化され、使用にあたっての操作が容易化されながら、再生装置の磁気ヘッドに対する確実な情報信号の伝達を行うことができる接続装置を提供することができるものである。
【図面の簡単な説明】
【図１】本発明に係る接続装置の外観の構成を示す斜視図である。
【図２】上記接続装置の内部の構成を示す平面図である。
【図３】上記接続装置における筐体と信号伝達ヘッドとの位置関係を示す平面図である。
【図４】上記接続装置における筐体と信号伝達ヘッドとの位置関係を示す正面図である。
【図５】上記接続装置における筐体と信号伝達ヘッドとの位置関係を示す縦断面図である。
【図６】上記接続装置の要部となる信号伝達ヘッド回りの構成を示す要部拡大縦断面図である。
【図７】上記接続装置の要部となる信号伝達ヘッド回りの構成を示す要部拡大斜視図である。
【図８】上記接続装置の製造工程において信号伝達ヘッドをヘッドホルダに取付ける工程を示す正面図及び底面図である。
【図９】上記接続装置の製造工程において信号伝達ヘッドがヘッドホルダに取付けられた状態を示す正面図及び底面図である。
【図１０】上記接続装置の従来の製造工程において信号伝達ヘッドがヘッドホルダに取付けられた状態を示す正面図及び底面図である。
【符号の説明】
３  筐体、１７  信号伝達ヘッド、４３  ヘッドホルダ、４４  板バネ、５１，５２，５５，５６  円弧状凸部、１０１  磁気ヘッド
【図１】
0003603493.tif 000002
【図２】
0003603493.tif 000003
【図３】
0003603493.tif 000004
【図４】
0003603493.tif 000005
【図５】
0003603493.tif 000006
【図６】
0003603493.tif 000007
【図７】
0003603493.tif 000008
【図８】
0003603493.tif 000009
【図９】
0003603493.tif 000010
【図１０】
0003603493.tif 000011